【手続補正書】
【提出日】平成15年4月24日(2003.4.24)
【手続補正１】
【補正対象書類名】明細書
【補正対象項目名】特許請求の範囲
【補正方法】変更
【補正の内容】
【特許請求の範囲】
【請求項１】
下記のものを含む、吸煙間の副流煙を減少させた、喫煙物品：
喫煙材料；
前記喫煙材料のまわりに形成された材料の第１層；及び
前記第１層のまわりに形成された材料の第２層（前記第２層は喫煙間の前記喫煙材料の燃焼を減らし、かつ熱で開放されるせん孔を含み、前記せん孔は前記喫煙材料の燃焼による十分な熱エネルギーが前記せん孔を開放するまで前記せん孔を通る酸素の流束をブロックする閉塞によりブロックされ、前記第１層は前記喫煙材料によって発生される熱エネルギーに暴露されるとき前記第２層より強く燃焼可能である）。
【請求項２】
前記喫煙材料がタバコベース材料を含む請求項１記載の喫煙物品。
【請求項３】
喫煙物品が前記喫煙材料中に点火要素を含み（前記喫煙材料は前記点火要素と比較して少ない酸素雰囲気で容易に消火可能である）、前記点火要素が炭素ベース材料から構成される請求項１又は２記載の喫煙物品。
【請求項４】
前記点火要素が実質的に円柱形状を有し、前記喫煙物品の長手方向軸と同心的に整合されている請求項３記載の喫煙物品。
【請求項５】
前記第２層が多数の層を含有する複合層を含む請求項１〜４のいずれか記載の喫煙物品。
【請求項６】
前記複合層が金属箔層を含む請求項５記載の喫煙物品。
【請求項７】
前記複合層が前記金属箔層に積層された紙層を含む請求項６記載の喫煙物品。
【請求項８】
前記複合層が前記金属箔層のいずれかの側上に積層された二つの紙層を含む請求項７記載の喫煙物品。
【請求項９】
前記第２層が前記物品の末端に及び、そこで前記喫煙材料が露出されている請求項１〜８のいずれか記載の喫煙物品。
【請求項１０】
前記第２層が前記物品の末端からゼロでない距離Ｌの範囲内で延び、そこで前記喫煙材料は露出されている請求項１〜８のいずれか記載の喫煙物品。
【請求項１１】
前記第２層が前記末端から約１ｍｍ−５ｍｍの範囲内で延びる請求項１０記載の喫煙物品。
【請求項１２】
前記熱で開放されたせん孔が第１サイズの少なくとも一つのせん孔及び前記第１サイズより大きい第２サイズの少なくとも一つのせん孔を含む請求項１〜１１のいずれか記載の喫煙物品。
【請求項１３】
前記第１サイズの前記少なくとも一つのせん孔が前記第２サイズの前記少なくとも一つのせん孔より前記喫煙物品の末端に近い場所に位置される請求項１２記載の喫煙物品。
【請求項１４】
前記少なくとも一つのせん孔が前記物品の使用前に材料の前記第１層にブロックされる請求項１〜１３のいずれか記載の喫煙物品。
【請求項１５】
前記せん孔の下に位置される材料の前記第１層の部分が少なくとも前記喫煙材料によって発生される熱に暴露されるときに十分に燃焼可能であり、かくして前記部分が前記物品の使用中に燃え去る請求項１〜１４のいずれか記載の喫煙物品。
【請求項１６】
前記第２層内の前記せん孔がパターンで配置された複数のせん孔を含む請求項１〜１５のいずれか記載の喫煙物品。
【手続補正２】
【補正対象書類名】明細書
【補正対象項目名】０００６
【補正方法】変更
【補正の内容】
【０００６】
上記紙巻きタバコは次のように機能する。消費者が熱源及び喫煙材料に点火する。吸煙中、熱源及び喫煙材料の両方が燃えてフレーバを消費者に送る。しかしながら、使用者が吸煙を停止すると、不十分な酸素しかタバコ材料に到達せずその燃焼を中断する。それゆえ、タバコはかかる休止期間中の燃焼を停止する。他方、炭素質熱源は燃焼を維持するために十分な熱エネルギーを有する。使用者は紙巻きタバコでもう一度吸煙を行うとき、入ってきた酸素が熱源に供給され、それはその燃焼速度及びそれによって発生される熱量を増大する。この増大した熱はタバコを再点火する。従って、この装置は吸煙間の副流煙を減少し、タバコを燃焼することによって従来の方法でフレーバを送出する。


【手続補正３】
【補正対象書類名】明細書
【補正対象項目名】０００９
【補正方法】変更
【補正の内容】
【０００９】
概        要
この目的及び他の目的は紙巻きタバコ紙の１以上の層内に配置されたタバコのプラグ内に配置された点火要素を含む紙巻きタバコを通して本発明に従って達成される。せん孔されたラッパーは次いで紙巻きタバコ紙層のまわりに包まれ、内部紙巻きタバコ紙は外部ラッパー中のせん孔を最初にブロックし、それによって酸素が紙巻きタバコの内部に到達することを防止する。紙層の他にもワックス又はフィルムの如き他の材料がせん孔をブロックするために使用されることができる。


【手続補正４】
【補正対象書類名】明細書
【補正対象項目名】００１０
【補正方法】変更
【補正の内容】
【００１０】
好ましい例では、せん孔された外部ラッパーは吸煙間の休止期間中のタバコの燃焼を維持するには十分な酸素を点火要素に与えるが、吸煙間のタバコの燃焼を維持するには不十分な酸素しか与えないように選択された透過性を有する。従って、タバコは吸煙間に消火され（又は減少した燃焼速度を受け）、それによって紙巻きタバコによって発生される副流煙の量を除去又は大きく減少する。ユーザが休止期間後に紙巻きタバコで一回吸煙するとき、酸素が点火要素に供給され、それは燃焼速度及び温度を増大する。これはタバコを再点火する。この方法で行うためには、タバコと比較して少ない酸素雰囲気で異なる熱特性を持つ点火要素が選択される。一般に、タバコと比較して少ない酸素雰囲気で容易に消火されない点火要素が選択される。一つの典型的な例では、点火要素はタバコのプラグに挿入された炭素要素を含む。


【手続補正５】
【補正対象書類名】明細書
【補正対象項目名】００２２
【補正方法】変更
【補正の内容】
【００２２】
図２（ａ）及び図３（ａ）を再び参照すると、複合外部ラッパー３８は多数のせん孔３４を含むことが好ましい。これらの図に示された典型例では、せん孔３４は複数の小さな開口を含む。これらのせん孔３４は限定された量の酸素が紙巻きタバコの側を通って下にあるタバコ４０及び点火源３６に到達することを可能にするための紙巻きタバコの内部への通路を提供する。しかしながら、紙巻きタバコ紙３２はラッパー３８とタバコ４０の間にあるため、通路を最初からブロックする。一連の吸煙後、点火要素３６及びタバコ４０によって発生される熱はせん孔３４の下の紙巻きタバコ紙３２を燃焼し、それによって通路を開ける。特に、せん孔３４は点火要素のくすぶりのような連続的な方式で“開放”され、燃焼を起こすタバコ床の部分は紙巻きタバコの遠端から紙巻きタバコのマウスピース端に向かって進む。即ち、紙巻きタバコの遠端に位置されるせん孔が先ず開放され、続いて遠端からさらに内方に位置されるせん孔が開放される。このようにして、酸素は点火要素の燃焼部分が外部ラッパー内の凹所を作るときであっても点火要素に利用可能にされる。しかしながら、最初は、紙巻きタバコの遠端から内方に位置されるせん孔が閉じられ、空気は紙巻きタバコのベースを通って吸引されないだろう。従って、本発明の紙巻きタバコは均一な燃焼特性を与えながら副流煙を減少する。


【手続補正６】
【補正対象書類名】明細書
【補正対象項目名】００２３
【補正方法】変更
【補正の内容】
【００２３】
せん孔３４のサイズ及び部分は異なる燃焼速度を達成するように選択されることができる。一般に、酸素の流束は多くの相対的に小さいせん孔を使用することによって、又は異なる寸法を有する複数の一連の小さなせん孔を使用することによって均一な燃焼速度を与えるように均一に分布されることができる。例えば約０．５ｍｍ×０．５ｍｍの寸法を有する複数の均一に分散された矩形のせん孔を使用することができる。ある典型例では、せん孔は（図２（ａ）及び図３（ａ）の図を参照すると）ラッパー３８の最左縁から約１ｍｍで開始し、ラッパー３８の最左縁から約７ｍｍ〜１５ｍｍで終了する。点火要素３６はせん孔３４の端を越えて少なくとも短い距離で延びることが好ましい。


【手続補正７】
【補正対象書類名】明細書
【補正対象項目名】００３１
【補正方法】変更
【補正の内容】
【００３１】
最後に、紙巻きタバコ紙３２の代わりに、又は紙巻きタバコ紙３２に加えて、点火要素からの熱エネルギーに暴露されるときに燃焼又は溶融する材料をせん孔にいくらか充填することによって外部ラッパー層中のせん孔をブロックする閉塞を形成することができる。例えば、セルロース又はワックス状材料はせん孔中に形成されることができる。


【手続補正８】
【補正対象書類名】明細書
【補正対象項目名】００３６
【補正方法】変更
【補正の内容】
【００３６】
使用者が紙巻きタバコでもう一度吸煙をするとき、空気は紙巻きタバコを通って軸方向に流れ、酸素を点火要素３６及びタバコ４０に供給する。この酸素の流束は点火要素３６の燃焼速度を増大し、それは順にタバコ４０を再点火する。使用者が吸煙を終えるとき、タバコ４０は再び消火される。